(57)【要約】【課題】多種の放熱器に使用することができる風案内カバーを提供すること。【解決手段】本発明に係る風案内カバーは、遮蔽部及び可動ダンパを備える。前記遮蔽部は、基板と、前記基板に対して垂直に延伸する第一側板及び仕切り板と、を備え、前記第一側板及び前記仕切り板の前記基板に連接する底端には、スライド溝がそれぞれ設けられ、前記可動ダンパの両端は、前記遮蔽部のスライド溝内にスライド可能にそれぞれ設置される。【選択図】図６
2013051407.tif 000002
【特許請求の範囲】
【請求項１】
遮蔽部及び可動ダンパを備える風案内カバーであって、
前記遮蔽部は、基板と、前記基板に対して垂直に延伸する第一側板及び仕切り板と、を備え、
前記第一側板及び前記仕切り板の前記基板に連接する底端には、スライド溝がそれぞれ設けられ、前記可動ダンパの両端は、前記遮蔽部のスライド溝内にスライド可能にそれぞれ設置されることを特徴とする風案内カバー。
【請求項２】
前記可動ダンパは主体板を備え、前記主体板の一つの側縁には、風に対する抵抗力を低減するための楔形の風ガイド面が設けられることを特徴とする請求項１に記載の風案内カバー。
【請求項３】
前記主体板の裏面の中央部には、互いに離間する２つの細長い形状の突起が設けられ、２つの前記突起の間には、係止凹溝が形成され、前記基板の前記第一側板と前記仕切り板との間には、所定の間隔をおいて突設された第一リブ及び第二リブが形成され、
前記第一リブ或いは前記第二リブを前記可動ダンパの前記係止凹溝内に係止させることによって、前記可動ダンパを異なる位置に位置決めすることを特徴とする請求項２に記載の風案内カバー。
【請求項４】
前記主体板の表面には、前記可動ダンパのスライド操作を容易にする滑り止め部が設けられていることを特徴とする請求項２または３に記載の風案内カバー。
【発明の詳細な説明】
【技術分野】
【０００１】
本発明は、空気流を導くための風案内カバーに関するものである。
【背景技術】
【０００２】
ホストコンピューター或いは他の電子装置のサーバーにおいて、通常、放熱器の上方に空気流を導くための案内カバーを設け、空気流を集中させて放熱を促進する。しかし、従来の風案内カバーの高さ及び位置は一定であり、一種類の放熱器のみにしか適用できず、汎用性に欠ける。
【発明の概要】
【発明が解決しようとする課題】
【０００３】
本発明は、上記の問題点を解消するために、多種の放熱器に使用することができる風案内カバーを提供することを目的とする。
【課題を解決するための手段】
【０００４】
上記の目的を達成するために、本発明に係る風案内カバーは、遮蔽部及び可動ダンパを備える。前記遮蔽部は、基板と、前記基板に対して垂直に延伸する第一側板及び仕切り板と、を備え、前記第一側板及び前記仕切り板の前記基板に連接する底端には、スライド溝がそれぞれ設けられ、前記可動ダンパの両端は、前記遮蔽部のスライド溝内にスライド可能にそれぞれ設置される。
【発明の効果】
【０００５】
従来の技術と比較して、本発明の風案内カバーの内面には、可動ダンパが設けられているので、前記放熱器の高さに基づき、前記可動ダンパを移動させることによって、集風し、且つ空気流を導いて、前記放熱器の放熱を促進する。従って、本発明の風案内カバーは、高さが異なる放熱器に適用し、汎用的に使用することができる。
【図面の簡単な説明】
【０００６】
【図１】本発明の風案内カバーが回路基板から分離されている状態を示す図である。
【図２】図１に示した風案内カバーを別の視点から見た斜視図である。
【図３】図２に示した風案内カバーの分解図である。
【図４】図３に示した風案内カバーの可動ダンパを反対側から見た拡大図である。
【図５】図１に示した風案内カバーと回路基板との組立図である。
【図６】図５に示した風案内カバーと回路基板とのＶＩ−ＶＩ線に沿った断面図である。
【図７】図６に示した風案内カバーの他の使用状態を示す断面図である。
【発明を実施するための形態】
【０００７】
図１に示したように、本発明の実施形態に係る風案内カバー１００は、電子装置（図示せず）の回路基板２００の一部のエリアを覆うように装着される。前記回路基板２００の上面には、１つの放熱器２０１及び前記放熱器２０１に隣接する複数の拡張ボード２０２が設けられている。また、前記回路基板２００には、該回路基板２００を貫通する複数の係合用開口２０３が設けられている。
【０００８】
図２及び図３に示したように、前記風案内カバー１００は、遮蔽部１０及び可動ダンパ２０を備える。前記遮蔽部１０は、基板１１と、前記基板１１に対して垂直に延伸し且つ互いに平行な第一側板１２、仕切り板１４及び第二側板１６と、を備える。従って、前記遮蔽部１０は、略「Ｍ」字状を呈す。また、前記第一側板１２、仕切り板１４及び第二側板１６の各々における長手方向両端の基板１１から離れる側には、突片１９がそれぞれ設けられている。前記第一側板１２と前記仕切り板１４との間には、第一風道が形成され、前記仕切り板１４と前記第二側板１６との間には、第二風道が形成される。前記第一側板１２及び前記仕切り板１４の前記基板１１に連接する底端には、スライド溝１５がそれぞれ設けられている。また、前記基板１１における前記第一側板１２と前記仕切り板１４との間には、所定の間隔をあけて、第一リブ１１２及び第二リブ１１４が突設されており、該第一リブ１１２及び前記第二リブ１１４は細長い形状で、且つ互いに平行である。
【０００９】
図４を併せて参照すると、前記可動ダンパ２０は、略矩形であり、主体板２１と、前記主体板２１の四隅から主体板２１の長手方向に沿って突出する４つの円柱体のガイド部２３と、を備える。前記主体板２１の表面の中央部には、前記可動ダンパ２０の操作に便利な滑り止め部２５が設けられ、前記主体板２１の裏面の中央部には、２つの細長い形状の突起２７が、互いに離間して設けられている。２つの前記突起２７の間には、係止凹溝２７１が形成されている。また、前記可動ダンパ２０の一つの側縁には、風に対する抵抗力を低減するための楔形の風ガイド面２１１が設けられている。
【００１０】
図５及び図６に示したように、前記風案内カバー１００と前記回路基板２００とを一体に組み立てる場合、先ず、前記可動ダンパ２０の前記ガイド部２３をそれぞれ前記第一側板１２及び前記仕切り板１４の底部に設けられた前記スライド溝１５内に設置して、該可動ダンパ２０を前記遮蔽部１０における前記第一側板１２と前記仕切り板１４との間にスライド可能に取り付ける。次に、前記遮蔽部１０の前記第一リブ１１２を前記可動ダンパ２０の前記係止凹溝２７１内に係止させて、前記可動ダンパ２０を位置決めする。最後に、前記遮蔽部１０の前記複数の突片１９を、前記回路基板２００の前記係合用開口２０３にそれぞれ係合させて、前記遮蔽部１０を前記回路基板２００に固定すると共に、前記放熱器２０１を前記第一側板１２と前記仕切り板１４との間の第一風道に位置させ、前記拡張ボード２０２を前記仕切り板１４と前記第二側板１６との間の第二風道に位置させる。
【００１１】
前記放熱器２０１の高さが低い場合（即ち、前記放熱器２０１の頂面と前記遮蔽部１０の前記基板１１との間の距離が大き過ぎて、空気流を集中させることができず、空気流による放熱を効果的に行えない場合）、前記可動ダンパ２０を前記放熱器２０１の上方にスライドさせて、前記放熱器２０１と前記遮蔽部１０の前記基板１１との間の空隙を埋めることで、空気流を導き、放熱を促進する。この時、前記風ガイド面２１１は、前記可動ダンパ２０の風に対する抵抗力を低減することができる。
【００１２】
図７に示したように、前記放熱器２０１の高さが適当である場合（即ち、前記放熱器２０１の頂面と前記遮蔽部１０の前記基板１１との間の距離が、空気流を集中させることに適しており、空気流による放熱を効率よく行える場合）、前記滑り止め部２５を押圧して、前記可動ダンパ２０を前記基板１１の裏面（つまり内面）において、前記スライド溝１５に沿ってスライドさせて、前記可動ダンパ２０の前記係止凹溝２７１を前記遮蔽部１０の前記第二リブ１１４に係止させて、前記可動ダンパ２０を前記放熱器２０１の上方から離れる位置に設置すればよい。
【００１３】
本発明の実施形態によると、前記風案内カバー１００の内面には、前記可動ダンパ２０が設けられているので、前記放熱器２０１の高さに基づき、前記可動ダンパ２０を移動させることによって、集風し、且つ空気流を導いて、前記放熱器２０１の放熱を促進する。従って、本発明の風案内カバー１００は、高さが異なる放熱器に適用し、汎用的に使用することができる。
【００１４】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、言うまでもない。
【符号の説明】
【００１５】
１０            遮蔽部
１１            基板
１２            第一側板
１４            仕切り板
１６            第二側板
１５            スライド溝
１９            突片
２０            可動ダンパ
２１            主体板
２３            ガイド部
２５            滑り止め部
２７            突起
１００          風案内カバー
１１２          第一リブ
１１４          第二リブ
２００          回路基板
２０１          放熱器
２０２          拡張ボード
２０３          係合用開口
２１１          風ガイド面
２７１          係止凹溝
【図１】
2013051407.tif 000003
【図２】
2013051407.tif 000004
【図３】
2013051407.tif 000005
【図４】
2013051407.tif 000006
【図５】
2013051407.tif 000007
【図６】
2013051407.tif 000008
【図７】
2013051407.tif 000009